(57)【特許請求の範囲】
【請求項１】
非接触型受電のワイヤレスデバイスカートリッジ又は接触型受電のデバイスカートリッジをランプカバーの有底ソケットチューブに挿入係止し無線でも接触方式でも給電できる構造を持つ多機能型LEDランプにおいて、LED駆動基板もしくは多機能型ＬＥＤランプ本体の底部に樹脂製で別部品の有底ソケットチューブを固定して垂直に立て、この前記別部品の有底ソケットチューブのフランジ付螺子部の上端螺子部を前記ランプカバーの穴に通し、更にリング状パッキンを介してリング状ナットと前記フランジとで前記ランプカバーを挟み込み、それによって前記別部品の有底ソケットチューブと螺合することで形状強度を高め、前記二種類のデバイスカートリッジの重量をランプカバーのみに負担させないようにしてなるLED駆動基板もしくは多機能型ＬＥＤランプ本体の底部に固定される別部品の有底ソケットチューブとランプカバーが一体的にされてなる多機能型LEDランプ。
【請求項２】
前記別部品の有底ソケットチューブの下部に無線給電コイルユニットを収容するスペースを設けて、前記非接触型受電のワイヤレスデバイスカートリッジに内蔵される無線受電コイルユニットと対置させる構造を有する請求項１記載のLED駆動基板もしくは多機能型ＬＥＤランプ本体の底部に固定される別部品の有底ソケットチューブとランプカバーが一体的にされてなる多機能型LEDランプ。
【請求項３】
電球様の口金を有する接触型受電のデバイスカートリッジを収納するために前記有底ソケットチューブの内部に接触型給電ソケットが設置されてなる請求項１記載のLED駆動基板もしくは多機能型ＬＥＤランプ本体の底部に固定される別部品の有底ソケットチューブとランプカバーが一体的にされてなる多機能型LEDランプ。
【発明の詳細な説明】
【技術分野】
【０００１】
各種のデバイスカートリッジをランプカバーに外装できる多機能型ＬＥＤランプに関するものである。
【背景技術】
【０００２】
ランプカバーに有底ソケットチューブが一体的に設けられ、その有底ソケットチューブに接触型受電のデバイスカートリッジもしくは非接触型受電のワイヤレスデバイスカートリッジを外から挿入係止させる構造のランプカバーを有する多機能型ＬＥＤランプに関する本出願人の出願中の技術がある。これは直管型のＬＥＤランプのエンドパーツに横からプラグインするデバイスカートリッジの技術を発展させたものであった。
【０００３】
非接触型受電のワイヤレスデバイスカートリッジを用いるものは電磁誘導式もしくは磁界共鳴方式である。これらは無線給電なので防水性が求められる浴室や屋外の用途には好適であり、有底ソケットチューブへの係止手段は簡易な部分螺合が用いられる。
【０００４】
他方、前記接触型受電のデバイスカートリッジを用いるものの場合、有底ソケットチューブへの係止手段は電球に用いられる口金式か、いわゆる引掛シーリング方式を用いて給電と係止を兼ねるものなどがあるが、これらは一般的な屋内環境下での使用が前提である。
【０００５】
それらはランプカバーと一体もしくは前記別部品の有底ソケットチューブとが一体に構成された特殊構造のランプカバーであって、前記別部品の有底ソケットチューブの裏側に設置された無線給電コイルユニットとが導線で接続するものもあるが構造的には前記多機能型LEDランプ本体とは切り離されたものであった。
【０００６】
参考までに、一般的なランプカバーの素材と成型方法を見ると、比較的小型で特殊なものはガラスの吹き込み成型品も有るが、射出成型品単体、あるいは樹脂のブロー成型品のランプカバー本体に射出成型品の下部リング状接合部を組み合わせた大型のものが多い。形状は、埋め込みタイプ以外は発光部面積を高める形状、例えば円形で凸レンズ状に加工されたものや円筒型やかまぼこ型などが採用され、特に大型のものは樹脂のブロー成型品が非常に多い。
【先行技術文献】
【特許文献】
【０００７】
【特許文献１】特許第６４７３８８３号
【発明の開示】
【発明が解決しようとする課題】
【０００８】
一般家庭に提供される埋め込みタイプ以外の屋内用ＬＥＤランプでは円形のランプカバーを凸レンズ状にデザインされたものが多いが、主要部はブロー成型である。前記構造の多機能型LEDランプのランプカバーをこの形状にしてブロー成型で得るとすれば、ブロー成型の特性から大きさと断面形状、設置方法が天井からか壁に設置するかで外力や各種デバイスカートリッジの重量などの影響で容易に変形して前記多機能型ＬＥＤランプの多機能性を阻害する課題があった。もちろん、他の樹脂成型手段でもこの問題はあり得た。
【課題を解決するための手段】
【０００９】
前記LED駆動基板もしくは多機能型ＬＥＤランプ本体の底部に樹脂製で前記別部品の有底ソケットチューブを固定して垂直に立て、この前記別部品の有底ソケットチューブの上端にあるフランジ付き螺子部の螺子部をランプカバーの穴に通して外からリング状ナットで螺合することで、前記ランプカバーを前記ＬＥＤ駆動基板もしくはＬＥＤランプ本体の底部と一体的にさせて形状強度を高め、又それによって前記各種デバイスカートリッジの重量を前記ランプカバーのみに負担させないようにする。前記別部品の有底ソケットチューブの上端螺子部の下部には外側に張り出すフランジがあり、リング状パッキンを介して前記ランプカバーを前記リング状ナットで挟み込み螺合する。前記非接触型受電のデバイスカートリッジを用いる場合の前記別部品の有底ソケットチューブでは、例えば前記非接触型受電のデバイスカートリッジの挿入部に設けた突起を前記有底ソケットチューブ内部の概L字型溝に導いて回転係止させる方式をとるが、前記接触型受電のデバイスカートリッジの場合には、電球式の接触型給電ソケットを内包させてもよい。当然、この場合の前記接触型受電のデバイスカートリッジには前記接触型給電ソケットに対応できる電球の口金様の受電構造を持たせる。又、いわゆる引掛シーリング方式でも構わないがその構造に見合った接触構造をとればよい。前記非接触型受電のデバイスカートリッジでは前記別部品の有底ソケットチューブの下部に無線給電コイルユニットを収容するスペースを設けて、前記非接触型受電のデバイスカートリッジ内部の無線受電コイルユニットと対置させる。
【００１０】
他の形状のランプカバーでもこの構造が有効に働く。
【発明の効果】
【００１１】
本発明記載の多機能型ＬＥＤランプは、前記LED駆動基板もしくは多機能型ＬＥＤランプ本体の底部に固定される前記別部品の有底ソケットと別個の前記ランプカバーが一体的にされてなるので、前記ランプカバーの強度と耐久性を高める効果があり、重量の大きい前記各種のデバイスカートリッジでも安心して収容保持できる。その効果は比較的強度の低いランプカバーがブロー成型の場合でも強度は確保でき、天井に設置されるいわゆるシーリングタイプはもちろん、壁に設置する場合でも前記したようなトラブルは回避できる。
【００１２】
更には、請求項２にあるように前記非接触型受電のデバイスカートリッジでは前記別部品の有底ソケットチューブの下部に前記無線給電コイルユニットを収容するスペースを設けて、前記非接触型受電のデバイスカートリッジに内蔵される前記無線受電コイルユニットと確実に対置できるので安定した無線給電ができる。
【００１３】
ＬＥＤと付加する各種機能デバイス間で、製品寿命に大きな差があると、ＬＥＤランプは約４万時間も使えるのに付加する機能デバイスが使えなくなるという問題も発生する。しかし本発明の各種デバイスカートリッジはプラグインモジュールなのでビルトインタイプと違って分解せず道具不要で手軽に交換でき、ハイスペックな機種にも交換できる。
【発明を実施するための最良の形態】
【００１４】
本発明の実施例を図１から図３に基づき説明する。図１と図２は平面形体が円形で断面が凸レンズ様のランプカバー３を有するLED駆動基板５に固定された別部品の有底ソケットチューブ（非接触型受電のワイヤレスデバイスカートリッジ用）６とランプカバー３が螺合一体的にされてなる多機能型LEDである。直径等の大きさは特に指定しない。図３は有底ソケットチューブ（接触型受電のデバイスカートリッジ用）２２を用いるタイプである。
【００１５】
多機能型ＬＥＤランプ本体２は樹脂の射出成型品でも金属のプレス製品でもそれらの複合構成したものでも構わない。本発明の２種類の有底ソケットチューブが垂直に支持できるベースの機能を持たせる。
【００１６】
ＬＥＤ駆動基板５は前記２種類の有底ソケットチューブを垂直に支持できる強度を多機能型ＬＥＤランプ本体２とともに持たせ、このＬＥＤ駆動基板５から樹脂製で別部品の有底ソケットチューブを固定して垂直に立てる。
固定方法は特に指定しないが図１・２・３では固定具２４としてボルトとナットを用いている。また別の方法として多機能型ＬＥＤランプ本体２の底２ａに前記２種類の有底ソケットチューブを立たせる。その場合はLED駆動基板５に穴を設けるが複合的に支える構成でも良い。
【００１７】
前記２種類の有底ソケットチューブは樹脂の射出成型で得る。樹脂は強度の高いものが好ましい。図３で使用される有底ソケットチューブ（接触型受電のデバイスカートリッジ用）２２には接触型給電ソケット２０が内蔵されるが、いわゆる電球用の給電ソケットと同様の形体及び素材で構わない。
【００１８】
リング状ナット10は樹脂の成型品で外側に滑り止めの構造を持たせる。リング状パッキン１１は合成ゴムのものを用いる。このリング状パッキンを介してリング状ナット１０とフランジング７とでランプカバー３を挟み込む。
それによって前記別部品の有底ソケットチューブと螺合することで形状強度を高め、前期二種類のデバイスカートリッジの重量をランプカバーのみに負担させないようにしている。
【００１９】
非接触型受電のワイヤレスデバイスカートリッジ１５は図２に示すように各種デバイスを収納するカートリッジであり、かつ無線受電コイルユニット１３をその底部に内蔵させるので複数の部材から構成されるので防水性を保つための構造と部材で構成する。接触型受電のデバイスカートリッジ１６でも前記の各種デバイスを収納するカートリッジであって、図３に示すように電球様の口金21を下部に持つがこれも電球で使用される形状と素材の口金で構わない。やはり防水性を保つための構造と部材とで構成する。
【産業上の利用可能性】
【００２０】
本発明の前記多機能型ＬＥＤランプは前記ランプカバーの強度と耐久性を高めるとともに前記２種類のデバイスカートリッジに安定した給電が可能となり、多機能型ＬＥＤランプの普及に貢献できる。かつモジュールカートリッジを想定しているので前記各種のデバイスカートリッジを共通で正確に収容保持でき、例えば監視カメラや人感センサー、ＡＩスピーカー等やIoTに対応できるシステムベッドとしても有用である。
【図面の簡単な説明】
【００２１】
【図１】本発明の請求項1に基づく請求項２を非接触型受電のワイヤレスデバイスカートリッジを用いた場合を示す模式図で、平面と部分断面で表現する。
【図２】図１の非接触型受電のワイヤレスデバイスカートリッジと有底ソケットチューブ（非接触型受電のワイヤレスデバイスカートリッジ用）との関係を部分断面で示す模式図である。
【図３】電球様の口金を有する接触型受電のデバイスカートリッジを収納するための前記有底ソケットチューブ（接触型受電のデバイスカートリッジ用）を説明するもので、内部に接触型給電ソケットが設置されてなる本発明の請求項３を部分断面で示す模式図である。
【符号の説明】
【００２２】
1   LED駆動基板もしくは多機能型ＬＥＤランプの底部に固定される別部品の有底ソケットチューブとランプカバーが一体的にされてなる多機能型LEDランプ
２  多機能型LEDランプ本体
2 a  底部
３  ランプカバー
４  ランプカバーの穴
５  LED駆動基板
６  有底ソケットチューブ（非接触型受電のワイヤレスデバイスカートリッジ用）
７  フランジ付き螺子部
８  フランジ
９  上端螺子部
１０  リング状ナット
１１  リング状パッキン
１２  無線給電コイルユニット
１３  無線受電コイルユニット
１４  無線給電コイルユニットを収容するスペース
１５  非接触型受電のワイヤレスデバイスカートリッジ
１６  接触型受電のデバイスカートリッジ
１７  LED素子
１８  突起
１９  L字型溝
２０  接触型給電ソケット
２１  電球様の口金
２２  有底ソケットチューブ（接触型受電のデバイスカートリッジ用）
２３  接触型給電ソケットへの給電導線
２４  固定具
２５  無線給電コイルユニットへの給電導線
２６  磁力線
【要約】      （修正有）【課題】各種デバイスカートリッジを外から挿入係止させる構造のランプカバーを有する多機能型LEDランプにおいて、ブロー成型で得られるランプカバーが容易に変形又は破損する事を防いた多機能型ＬＥＤランプを提供する。【解決手段】本発明の多機能型ＬＥＤランプ１において、LED駆動基板５もしくは多機能型ＬＥＤランプ本体２の底部２ａに別部品の有底ソケットチューブ６を固定して立て、この有底ソケットチューブ６上端螺子部９にランプカバー３の穴４を通して外からリング状ナット１０で螺合することで、ランプカバー３をＬＥＤ駆動基板５もしくは多機能型ＬＥＤランプ本体２の底部２ａと一体的にさせて強度を高め、非接触型受電のワイヤレスデバイスカートリッジ１５の重量をランプカバー３のみに負担させないようにする。【選択図】図１【図１】
0006653844.tif 000002
【図２】
0006653844.tif 000003
【図３】
0006653844.tif 000004